(57)【要約】【課題】ＯＤＦプロセスを用いて液晶光学素子を製造したとしても、その製造工程中にシール材が液晶へ溶出することなく、紫外線硬化型のシールと基板との密着力を向上させた、信頼性の高い液晶光学素子の製造方法を提供すること。【解決手段】閉環形状の紫外線硬化型のシールを第１の透明基板に形成するシール形成工程と、シールで囲まれた領域内に、液晶を滴下する液晶滴下工程と、所定の間隙を持って、第１の透明基板に第２の透明基板を、シールを介して貼り合わせた後に、シールを本硬化するシール本硬化工程とを有し、シール形成工程と液晶滴下工程との間に、遮光部を有するマスクを介して紫外線を照射して、シール内側領域に斜めから当該紫外線を照射して、シールの一部領域を仮硬化するシール仮硬化工程を行う。【選択図】図１
2008233630.tif 000002
【特許請求の範囲】
【請求項１】
閉環形状の紫外線硬化型のシールを第１の透明基板に形成するシール形成工程と、
前記シールで囲まれた領域内に、液晶を滴下する液晶滴下工程と、
所定の間隙を持って、前記第１の透明基板に第２の透明基板を、前記シールを介して貼り合わせた後に、前記シールを本硬化するシール本硬化工程と、を有し、
前記シール形成工程と前記液晶滴下工程との間に、遮光部を有するマスクを介して、シール内側領域に斜めから紫外線を照射して、前記シール内側領域における少なくとも一部の領域を仮硬化するシール仮硬化工程を行う、
ことを特徴とする液晶光学素子の製造方法。
【請求項２】
前記シール本硬化工程は、前記シールに紫外線を照射して、仮硬化した領域を含めて前記シールを本硬化させる工程である
ことを特徴とする請求項１に記載の液晶光学素子の製造方法。
【請求項３】
前記シール仮硬化工程は、シール上部の少なくとも一部の領域が未硬化状態となる様に、前記シール内側領域を仮硬化させる工程である
ことを特徴とする請求項１または２に記載の液晶光学素子の製造方法。
【請求項４】
前記シール内側領域の断面形状は、前記シール上部側に形成される上底が、前記シール上部とは反対側に形成される下底よりも小さい台形形状である
ことを特徴とする請求項３に記載の液晶光学素子の製造方法。
【請求項５】
前記シール内側領域の断面形状は、直角三角形形状である
ことを特徴とする請求項３に記載の液晶光学素子の製造方法。
【発明の詳細な説明】
【技術分野】
【０００１】
本発明は液晶光学素子の製造方法に関し、特に、ＯＤＦプロセスを用いて液晶光学素子を製造したとしても、その製造工程中にシール材が液晶へ溶出することなく、紫外線硬化型のシールと基板との密着力を向上させることができる液晶光学素子の製造方法に関する。
【背景技術】
【０００２】
従来の液晶光学素子の製造方法として、少なくとも透明基板に液晶注入口を有する熱硬化型のシールを形成し、対向基板と貼り合わせて液晶セルを形成する製造方法が知られている。この製造方法では、この後に真空装置内で液晶セルの液晶注入口を液晶に浸し、徐々に大気圧に戻すことで毛管現象により液晶をセル内に注入させることで液晶光学素子を製造している。
【０００３】
この製造方法に対し、液晶注入口を形成せずに透明基板に閉環形状の紫外線硬化型のシールを形成し、その後、適量の液晶をシールの内側領域に滴下し、真空装置で貼り合わせた後、この紫外線硬化型のシールに紫外線することで硬化させる製造方法がある。この製造方法（以下ＯＤＦプロセスという）を用いると、液晶注入の時間短縮およびトータルプロセスの短縮が可能となり、安価で液晶光学素子を製造することが可能となる。
【０００４】
しかしながら、上記ＯＤＦプロセスでは、使用するシールが未硬化の状態で液晶をシールの内側領域に滴下するため、未硬化状態のシールに液晶が直接接触して、シール材が液晶に溶出してしまう場合がある。特に、ホモジニアス配向の液晶光学素子を製造する場合には、滴下された液晶は、配向膜上で親水性のために広がってゆく傾向にあるため、液晶が未硬化状態のシールと接触する時間が早くなる。この様に、シール材が液晶に溶出してしまうと、シール近傍にて液晶配向の乱れが発生してしまい、その部分では所望の位相変調を行えないことがあった。
【０００５】
また、レーザー光源から出射されるレーザー光が光ディスクに照射され、この光ディスクからの反射光を受光ダイオードにて集光し、光ディスクの情報を読み取ったり、光ディスクに情報を書き込んだりする際に用いられる光ピックアップ装置における、レーザー光の球面収差、コマ収差、非点収差等を補正するために用いられる液晶光学素子や、携帯電子機器等に搭載されるカメラモジュールにおける可変焦点レンズ等に用いられる液晶光学素子の外形サイズは、通常のディスプレイ装置として用いられる液晶光学素子の外形サイズと比較して、非常に小さく数ミリ角程度である。この液晶光学素子の外形サイズは、光ピックアップ装置やカメラモジュール等の装置の小型化に伴って更に小さくなってゆく可能性がある。したがって、液晶光学素子のシールの内側領域の内径も狭くなり、液晶をシールの内側領域に滴下してから未硬化状態のシールと液晶とが接触するまでの時間が更に早くなることが予想される。
【０００６】
そこで、外形サイズが小さな液晶光学素子でも、上記課題を解決する一つの手段として、ＯＤＦプロセスを採用し、未硬化状態のシールの最表面を仮硬化させた上で液晶を滴下する製造方法が提案された（特許文献１参照）。
【０００７】
ここで、上記特許文献１に記載されている液晶光学素子の製造方法について説明する。
図６は、従来の液晶光学素子の製造方法を示す図面である。なお、本図（ａ）は、透明基板上に紫外線硬化型のシールを形成するシール形成工程を示し、本図（ｂ）は、このシールの表面を仮硬化させるシール仮硬化工程を示し、本図（ｃ）は、シールの内側領域に
液晶を滴下する液晶滴下工程を示し、本図（ｄ）は、シールを本硬化させるシール本硬化工程を示している。
【０００８】
まず、図６（ａ）に示すシール形成工程にて、透明基板１１１ａの表面に、スクリーン印刷またはディスペンサー法を用いて、紫外線硬化型樹脂からなるシール１１２を閉環形状に形成する。このシール１１２には、紫外光によりエポキシまたはアクリルの重合反応を開始させる開始剤が含まれている。そして、この開始剤には、遠紫外線から近紫外線の波長域で反応するものが存在する物質が含まれている。一度開始剤が光反応すると、カチオンまたはラジカル重合が開始されて、未硬化状態のシール１１２の硬化反応が促進される。
【０００９】
次に、図６（ｂ）に示す仮硬化工程にて、本紙面上方向から遠紫外線または近紫外線のシール仮硬化光１１７を適量照射する。ここで紫外線硬化型のシールは、未硬化状態のシール１１２の最外周のみ仮硬化されて、シール上面および側面にシール仮硬化部１１３が形成される。
【００１０】
次に、図６（ｃ）に示す液晶滴下工程にて、シール１１２の内側領域に液晶１１４を滴下する。
【００１１】
最後に、図６（ｄ）に示すシール本硬化工程にて、透明基板１１１ａに、シール１１２を介して透明基板１１１ｂを貼り合わせた上で、遠紫外線または近紫外線のシール本硬化光１１９を、透明基板１１１ａ表面から照射することで、シール１１２が完全に硬化した目的の液晶光学素子が完成する。
【００１２】
なお、図６（ｃ）に示す液晶滴下工程において、液晶１１４を滴下注入した後に、この液晶がシール側壁のシール仮硬化部１１３に接触することになるが、シール１１２の表面は仮硬化されているため、未硬化状態のシール１１２が液晶１１４に溶出することはない。そのため、図６（ｄ）のシール本硬化工程を経て製造した液晶光学素子は、シール近傍にて液晶配向の乱れは起こらない。
【００１３】
【特許文献１】特開平６−２０８０９７号公報（第７―１１頁、第１図）
【発明の開示】
【発明が解決しようとする課題】
【００１４】
しかしながら、図６（ｃ）（ｄ）に示したシール仮硬化部１１３は、シール１１２の側面だけでなく上端面にも形成される。そのため、シール本硬化工程にて透明基板１１１ａと透明基板１１１ｂとを貼り合わせる際に、このシール仮硬化部１１３が透明基板１１１ｂの表面と接触することとなる。仮硬化されたシール１１２は、液晶１１４への汚染に対しては効果を発揮するが、未硬化状態のシール１１２と透明基板１１１ｂとの密着力を、極端に低下させる。
【００１５】
このシール１１２と透明基板１１１ｂとの密着力の低下は、温度・湿度などの環境変化に対して、基板の変形・熱膨張および内部に注入される液晶１１４の膨張・収縮により、外気混入および液晶１１４の流出といった現象を招く。これは液晶光学素子としての信頼性という点で、品質を低下させる要因となり、好ましくない。
【００１６】
そこで本発明の目的は、ＯＤＦプロセスを用いて液晶光学素子を製造したとしても、その製造工程中にシール材が液晶へ溶出することなく、紫外線硬化型のシールと基板との密着力を向上させた、信頼性の高い液晶光学素子の製造方法を提供することである。
【課題を解決するための手段】
【００１７】
上記目的を達成するために、本発明の製造方法は、基本的に下記記載の構成を採用するものである。
【００１８】
本発明の液晶光学素子の製造方法は、閉環形状の紫外線硬化型のシールを第１の透明基板に形成するシール形成工程と、シールで囲まれた領域内に、液晶を滴下する液晶滴下工程と、所定の間隙を持って第１の透明基板に第２の透明基板を、シールを介して貼り合わせた後に、シールを本硬化するシール本硬化工程とを有し、シール形成工程と液晶滴下工程との間に、遮光部を有するマスクを介して、シール内側領域に斜めから紫外線を照射して、シール内側領域における少なくとも一部の領域を仮硬化するシール仮硬化工程を行うことを特徴とするものである。
【００１９】
また、本発明の液晶光学素子の製造方法は、前述したシール仮硬化工程が、シール上部の少なくとも一部の領域が未硬化状態となる様に、シール内側領域を仮硬化させる工程であることを特徴とするものである。
【００２０】
また、本発明の液晶光学素子の製造方法は、前述したシール本硬化工程が、シールに紫外線を照射して、仮硬化した領域を含めてシールを本硬化させる工程であることを特徴とするものである。
【００２１】
また、本発明の液晶光学素子の製造方法は、前述したシール内側領域の断面形状が、シール上部側に形成される上底が、シール上部とは反対側に形成される下底よりも小さい台形形状であることを特徴とするものである。
【００２２】
また、本発明の液晶光学素子の製造方法は、前述したシール内側領域の断面形状が、直角三角形形状であることを特徴とするものである。
【発明の効果】
【００２３】
本発明により、外形サイズが小さくなる液晶光学素子をＯＤＦプロセスによって作成する際、シールから液晶への溶出を防ぐとともに、基板とシールとの密着力を向上させた信頼性の高い液晶光学素子を形成することが可能となる。
【発明を実施するための最良の形態】
【００２４】
本発明の液晶光学素子の製造方法は、一方の透明基板に閉環形状の紫外線硬化型のシールを形成するシール形成工程と、遮光部を有するマスクを介して紫外線を照射してシールの一部領域を仮硬化するシール仮硬化工程とを有する。また、この製造方法は、仮硬化されたシールの内側領域に液晶を滴下する液晶滴下工程と、他方の透明基板をシールを介して貼り合わせた後に、シールを本硬化するシール本硬化工程とを有する。なお、本発明の製造方法の特徴的な部分は、特にシール仮硬化工程におけるシールを仮硬化させる手法および仮硬化させる箇所に有り、これにより上下基板の接着強度を保ったまま、シールから液晶への溶出を防ぐことができる様になる。
【００２５】
ここで、本発明の液晶光学素子の製造方法について説明する。
図１は、本発明の製造方法を示す図面であり、本図（ａ）は、シール形成工程を示す図であり、本図（ｂ）は、シール仮硬化工程を示す図であり、本図（ｃ）（ｄ）は、液晶滴下工程を示す図であり、本図（ｅ）は、シール本硬化工程を示す図である。また、図２（ａ）は、図１で示した工程を経て作成された液晶光学素子の断面図を示し、図２（ｂ）はその上面図を示している。なお、図１（ａ）に示す１ｂは透明基板、２ｂは透明基板上に形成された透明導電膜、３ｂは透明導電膜上に形成された配向膜を表す。
【００２６】
まず、表面に透明電極２ｂと配向膜３ｂを形成した透明基板１ｂを用意し、図１（ａ）に示すシール形成工程によって、閉環形状で紫外線硬化型のシール５を、ディスペンサー塗布法または印刷法により、配向膜３ｂの表面に形成する。
【００２７】
次に、図１（ｂ）に示すシール仮硬化工程によって、遮光部を有するマスク４を介して、紫外波長帯域のシール仮硬化光７を２００〜３００ｍＪ／ｃｍ２の光量に設定して照射する。シール仮硬化光７がシール５に照射されると、シール仮硬化光７が当たった領域から仮硬化反応を起こし、シール５内に存在する光重合開始剤の光吸収が発端となり、シール５の側面および上部から光反応が開始されて、シール５の断面を台形形状としたシール仮硬化部６を形成する。このとき、シール５におけるシール仮硬化部６以外の領域は、未硬化状態となっている。
【００２８】
次に、図１（ｃ）及び（ｄ）に示す液晶滴下工程を行う。なお、図１（ｃ）では、閉環形状のシール５（図２（ｂ）参照）の内側領域に、ＯＤＦプロセスによって液晶８を滴下した直後の状態を示し、図２（ｄ）では、滴下された液晶８が時間とともにシール５近傍まで広がってシール５におけるシール仮硬化部６と接触している状態を示している。
【００２９】
シール５内に滴下された液晶８は、図１（ｃ）に示すように、配向膜３ｂ上で液滴状に存在する。配向膜３ｂは、上述した配向処理が施されているので、ネマティック液晶からなる液晶８は、ホモジニアス配向またはホメオトロピック配向となる。
【００３０】
この配向状態をホメオトロピック配向とした場合、配向膜３ｂと液晶８は疎水性のため、図１（ｃ）に示す様に液滴形状を保つことができ、これにより液晶８の広がりによるシール５との接触する可能性が低くなる。それに対して、ホモジニアス配向とした場合、配向膜３ｂと液晶８は親水性となるので、液晶８が滴下された後に液滴は素早く広がり、図１（ｄ）に示す液晶８がシール仮硬化部６と接触した状態になる。特に、外形サイズが小型の液晶光学素子の場合、広がった液晶８がシール５に到達するまでの時間が早くなることは先に示した通りである。この様に本発明によれば、シール５の内側壁面がシール仮硬化部６となっているため、液晶８とこのシール仮硬化部６と接触したとしても、シール５が液晶８に溶出することはない。
【００３１】
次に、図１（ｅ）に示すシール本硬化工程によって、シール５の内側領域に液晶８が滴下された透明基板１ｂと、片面に透明導電膜２ａと配向膜３ａが形成された透明基板１ａとを、シール５を介して１Ｐａ程度の真空状態で重ね合わせた後に、大気圧に戻して透明基板１ａ、１ｂを圧縮し、所定の基板間ギャップを形成する。そして、この基板を押圧したまま、透明基板１ａの外側表面から２〜３Ｊ／ｃｍ２程度の、遠紫外または近紫外の波長帯域のシール本硬化光９を照射することで、シール内の形成ポリマーが十分にラジカル重合またはカチオン重合を起こして、架橋硬化したシール５により透明基板１ａ、１ｂが強固に接着固定される。
【００３２】
なお、上記説明ではシール本硬化工程を、シール仮硬化工程にて形成されたシール仮硬化部６とともにシール５に紫外線を照射して、シール５を本硬化させる工程として説明したが、シール形成工程にて、紫外線硬化と熱硬化の両方の機能を併せ持つシールを用いた場合は、シール仮硬化工程で、紫外線を照射してシール内側領域の少なくとも一部領域を仮硬化し、シール本硬化工程で、加熱処理を行ってシール仮硬化部６とともにシール５を本硬化しても構わない。
【００３３】
上述したように、本発明の一連の製造工程を経ることで、図２（ａ）、図２（ｂ）に示す様に、透明導電膜２ａ、２ｂと配向膜３ａ、３ｂを内側に向けて配置された透明基板１ａ、１ｂの間隙に液晶８を有し、透明基板１ａ、１ｂが閉環形状のシール５によって強固
に保持された目的の液晶光学素子１０５を得ることができる。
【００３４】
次に、図１（ｂ）で示したシール仮硬化工程において、遮光部を有するマスク４とシール５との間隔を変えたときに形成されるシール仮硬化部６の形状について説明する。図３は、本発明の液晶光学素子の製造方法で、使用する遮光部を有するマスクとシールとの距離を代えたときのシール仮硬化部の形状を示す図であり、本図（ａ）がシール５とマスク４との間隔を広くしたときに形成されるシール仮硬化部６の形状を示す図であり、本図（ｂ）が図（ａ）のときよりもシール５とマスク４との間隔を狭くしたときに形成されるシール仮硬化部６の形状を示す図である。
【００３５】
シール仮硬化工程において、図３（ａ）に示す様に、マスク４とシール５の上端面との間隔１０を広くすると、シール仮硬化光７はシール上部の一部の領域６ａに照射されてこの部分で仮硬化反応が起こる。また、シール仮硬化光７はシール内側壁にも斜めから入射するため、マスク４から離れるシール５下方向の方がより深くなる様に、仮硬化反応が起こる。このとき、領域６ａとともに、シール内側壁面の領域６ｂおよびシール下面の一部の領域６ｃを含んだシール仮硬化部６が形成される。この様な作用を受けて、シール仮硬化部６の形状は、図３（ａ）に示す領域６ａ〜６ｄで囲まれた台形形状となる。
【００３６】
この様に、マスク４とシール５の上端面との距離を設定することで、シール仮硬化部６の断面形状を台形形状に制御することができる。また、図３（ａ）の形態とすれば、図１（ｄ）に示した液晶滴下工程で液晶が配向膜３ｂ上で広がったとしても、シール６と液晶とが接触する領域６ｂが仮硬化しているので、シール５から液晶が溶出することはないことは、先に説明した通りである。
【００３７】
本形態は、シール上端面の一部の領域６ａが仮硬化しており、図１（ｅ）を用いて説明したシール本硬化工程において、もう一方の透明基板１ａと接着する、未硬化状態のシール面積が若干狭くなっているが、シールの表面全てが仮硬化している従来の構成と比較すると、明らかに対向する透明基板とシール５との密着性を改善できることが理解できよう。
【００３８】
また、図３（ｂ）に示す様に、マスク４とシール５の上端面との間隔１０を、図３（ａ）のときに比べて狭くすると、シール仮硬化光７はシール上部には殆ど入射されず、つまり、図３（ａ）に示した仮硬化された領域６ａを形成せずに、シール内側壁面の領域６ｂのみを仮硬化することができる。その結果、シール仮硬化部６の形状は、図３（ｂ）に示す様に領域６ｂ〜６ｄで囲まれた直角三角形状となる。
【００３９】
この様に、シール仮硬化部６の断面形状を直角三角形とすることで、先の形態と同様に、液晶滴下工程においてシール５が液晶へ溶出することは無い。また、先の形態に比べて、未硬化状態の面積を広くすることができる。なお、本図においてはシール上端面の全ての領域を未硬化状態としている。これにより、シール本硬化工程において、もう一方の透明基板と、未硬化状態のシール５との接着面積を広くすることができ、後に貼り合わせを行うもう一方の透明基板との接着強度を十分保持でき、図３（ａ）に示した形態に比べてさらに信頼性の高い液晶光学素子を製造することができる。
【００４０】
次に、マスク遮光部とシール５との位置関係が、シール仮硬化部へ及ぼす影響について説明する。図４（ａ）では、マスク４とシール５とが好ましい間隔１０で配置されているが、シール５の内側縁部から紙面右側にずれた位置にマスク４を配置したままシール仮硬化工程を行ったときのシール仮硬化部の形状を示し、図４（ｂ）は、シール５の内側縁部から紙面左側にずらした位置にマスク４を配置してシール仮硬化工程を行ったときのシール仮硬化部の形状を示している。
【００４１】
図４（ａ）に示す様に、シール５の内側縁部からマスク４が紙面右側にずれたままシール仮硬化工程を行ってしまうと、シール仮硬化光７が、シール５上部の一部の領域６ａを直上から照射してしまうととなる。その結果、シール仮硬化部６の形状は、領域６ａ〜６ｄで囲まれた台形形状となる。
【００４２】
ここに示した形態は、図４（ａ）で示した形態よりも、更にシール５の上端面の未硬化状態のシール面積が狭くなっているため、後の工程で貼り合わせる透明基板との接着性が低下してしまうこととなる。シール５の幅Ｗが広い場合にはこの形状であってもこの面積の減少は特に問題にならないが、シール５の幅Ｗが狭い場合は、このシール上端面のシール仮硬化部６の領域６ａの面積の増加は、無視できないものとなる。したがって、この様な場合は、出来るだけシール上端面のシール仮硬化部６の領域６ａが狭くなる様に、マスク４の位置を設定することが肝要である。
【００４３】
また図４（ｂ）に示す様に、マスク４をシール５の端部から紙面左側にずらした位置に配置してからシール仮硬化工程を行うと、シール５の内側壁の一部のみにシール仮硬化光７が照射される。その結果、シール仮硬化部６の形状は、領域６ｂ〜６ｄで囲まれた直角三角形となる。
【００４４】
この様に、シール５の内側壁面を未硬化状態として一部残して、シール仮硬化部６の断面形状を直角三角形とすることで、液晶滴下工程でのシール５の液晶への溶出を防止し、後に貼り合わせを行うもう一方の透明基板との接着強度を十分確保でき、本発明の製造方法で作成する液晶光学素子の信頼性をより向上させる。
【００４５】
以上の事項から、透明基板１ａ、１ｂとのセルギャップを確保するためには、液晶滴下工程にて液晶を透明基板１ｂの中央部に滴下した後に、液晶が濡れ広がってシール５と接触する領域を考慮して、シール仮硬化部６の領域６ｂの形成エリアを設定する必要があるが、図３（ｂ）図４（ｂ）に示した様に、シール仮硬化部６の体積をできるだけ小さくし、かつ仮硬化するエリアを直角三角形とする方が望ましい。それは、シール本硬化工程にて、両透明基板１ａ、１ｂを貼り合わせた時に、よりシール５がつぶれ易くなり、所定のセルギャップを形成することが可能となるからである。そして、図４（ｂ）に示した形態が、所望のセルギャップを形成でき、シールの溶出による液晶の汚染の問題も発生しない、最も理想的な仮硬化部形状であることが判る。
【００４６】
次に、本発明で製造した液晶光学素子を光ピックアップ装置に搭載した例について説明する。図５は、本発明の製造方法により形成された液晶光学素子１０５を光ピックアップ装置に搭載した場合の全体構成を示すブロック図である。
【００４７】
図５に示す光ピックアップ装置は、レーザー光源１０１、カップリングレンズ１０３、偏光ビームスプリッター１０４、収差補正手段として機能する液晶光学素子１０５、１／４波長板１０６、対物レンズ１０７、集光レンズ１０９、受光ダイオード１１０から構成されている。
【００４８】
図５において、レーザー光源１０１から出たレーザー光１０２は、カップリングレンズ１０３で平行光とされ、偏光ビームスプリッター１０４を通過した後、液晶光学素子１０５に入射する。この液晶光学素子１０５を通過する際に、レーザー光は液晶光学素子１０５で変調され、収差補正が可能となる。その後１／４波長板１０６を通過して、対物レンズ１０７により光ディスク１０８に集光される。そして光ディスク１０８にて反射されたレーザー光は、再び対物レンズ１０７及び１／４波長板１０６を経て、偏光ビームスプリッター１０４により光路が変更されて、集光レンズ１０９を介して受光ダイオード１１０
に集光される。
【００４９】
この様に、上述した本発明により製造された液晶光学素子１０５は、ＯＤＦプロセスの製造工程中に、シールが液晶中へ溶出することがなく、紫外線硬化型のシールと基板との密着力を向上させた、信頼性の高い液晶光学素子であるので、この液晶光学素子１０５を図５に示す光ピックアップ装置として組み込むことにより、安定して光ピックアップ装置の正確な読み書きを実現することができる。
【図面の簡単な説明】
【００５０】
【図１】本発明の液晶光学素子の製造方法を説明するための図である。
【図２】本発明の液晶光学素子の製造方法で形成した液晶光学素子の構成を示す断面図および平面図である。
【図３】本発明の液晶光学素子の製造方法で形成されるシール仮硬化部の形状を示す図である。
【図４】本発明の液晶光学素子の製造方法で形成されるシール仮硬化部の形状を示す図である。
【図５】本発明に係る液晶光学素子を掲載した光ピックアップ装置を説明するための図である。
【図６】従来の液晶光学素子の製造方法を説明するための図である。
【符号の説明】
【００５１】
１ａ、１ｂ  透明基板
２ａ、２ｂ  透明導電膜
３ａ、３ｂ  配向膜
４  マスク
５  シール
６  シール仮硬化部
６ａ〜６ｄ  領域
７  シール仮硬化光
８  液晶
９  シール本硬化光
１０  間隔
１０１  半導体レーザー
１０２  レーザー光
１０３  カップリングレンズ
１０４  ビームスプリッター
１０５  液晶光学素子
１０６  １／４波長板
１０７  対物レンズ
１０８  光ディスク
１０９  集光レンズ
１１０  受光ダイオード
【図１】
2008233630.tif 000003
【図２】
2008233630.tif 000004
【図３】
2008233630.tif 000005
【図４】
2008233630.tif 000006
【図５】
2008233630.tif 000007
【図６】
2008233630.tif 000008